(57)【要約】乗物用乗客シートのフレーム構造であって、少なくとも１体の脚体を含んでおり、乗物の床に固定されて前後に延びるシート脚部に搭載された片持式主梁体と、シート脚体の前方に位置し、横断方向に延びる前方梁体と、横断主梁体に搭載された背支持体と、背梁体に搭載された背保持部と、背支持体に搭載された周縁フレームに固定されたシート座席部とを含んでいる。
2007517707.tif 000002
【特許請求の範囲】
【請求項１】
乗物用乗客シートのフレーム構造であって、
(a)乗物の床に搭載するため、前後に延びるシート脚部に取り付けた片持式横断主梁体を含んだ少なくとも１体の脚体と、
(b)前記シート脚部の前方に位置し、横断方向に延びる前方梁体と、
(c)前記横断主梁体に取り付けた背支持体と、
(d)前記背支持体に取り付けた背保持部と、
(e)前記背支持体に搭載した周縁フレームに取り付けたシート座席部と、
を含んでいることを特徴とするフレーム構造。
【請求項２】
前方梁体は床レベルからシート座席部に隣接するところまで実質的に延びる中空ボックス型梁体であることを特徴とする請求項１記載のフレーム構造。
【請求項３】
周縁フレームは背支持体に取り付けた後方フレームと底部フレームとを含んでいることを特徴とする請求項１記載のフレーム構造。
【請求項４】
底部フレームはフレキシブルなシートパンとパッドシートクッションで覆われていることを特徴とする請求項１記載のフレーム構造。
【請求項５】
ボックス型梁体は電気/電子シートコンポーネントを収容することを特徴とする請求項２記載のフレーム構造。
【請求項６】
２体の横方向に間隔を開けた脚体を含み、片持式横断主梁体はそれら２体の脚体を連結し、互いに固定関係に維持することを特徴とする請求項１記載のフレーム構造。
【請求項７】
(a)シート脚部の前方に位置する横断方向に延びる前方梁体と、
(b)横断主梁体に取り付けた少なくとも２体の第１及び第２並背支持体と、
(c)それぞれの背支持体に取り付けた第１及び第２周縁フレームと、
(d)それぞれの周縁フレームに取り付けた第１及び第２シート座席部と、
を含んでいることを特徴とする請求項６記載のフレーム構造。
【請求項８】
背支持体は後方座席の乗客に膝用の凹状部を提供することを特徴とする請求項１記載のフレーム構造。
【請求項９】
背支持体は、背保持部とシート座席部が快適ポジションに移動中に後部座席の乗客の邪魔にならないよう静止ポジションを維持するよう、横断主梁体に固定された頑丈な材料を含んでいることを特徴とする請求項１記載のフレーム構造。
【請求項１０】
背支持体は角度を有し、集合的に背保持部として機能する形状の複数の平坦面を含んでいることを特徴とする請求項９記載のフレーム構造。
【請求項１１】
背保持部は直立ポジションと傾斜ポジションとの間で背支持体に対して移動できるように搭載されていることを特徴とする請求項９記載のフレーム構造。
【請求項１２】
背支持体は乗客が操作する限定された前後ロッキング動作ができるように搭載されていることを特徴とする請求項１記載のフレーム構造。
【請求項１３】
周縁フレームは前後スライド動作ができるように背支持体に搭載されていることを特徴とする請求項４記載のフレーム構造。
【請求項１４】
乗物用乗客シートのフレーム構造であって、
(a)乗物の床に搭載するため、前後に延びるシート脚部に取り付けた片持式横断主梁体を含んだ少なくとも１体の脚体と、
(b)前記シート脚部の前方に位置し、横断方向に延び、中空で横断方向に延びるボックス型梁体を含んだ前方梁体と、
(c)前記横断主梁体に取り付けた背支持体と、
(d)前記背支持体に取り付けた背保持部と、
(e)背支持体に取り付けた後方フレームと底部フレームを含んだ周縁フレームに取り付けたシート座席部と、
(f)前記底部フレームを覆うフレキシブルなシートパン及びパッド型シートクッションと、
を含んでいることを特徴とするフレーム構造。
【請求項１５】
ボックス型梁体は電気/電子シートコンポーネントを収納するように設計されていることを特徴とする請求項１４記載のフレーム構造。
【請求項１６】
２体の横方向に離れた脚体を含んでおり、片持式横断主梁はそれら脚体を互いに固定関係で連結維持することを特徴とする請求項１４記載のフレーム構造。
【請求項１７】
背支持体は後方座席の乗客の膝を収容する凹状部を含んでいることを特徴とする請求項１４記載のフレーム構造。
【請求項１８】
背支持体は背保持部とシート座席部が快適ポジションに移動中に後部座席の乗客の邪魔にならないよう静止ポジションを維持するよう、横断主梁体に固定された頑丈な材料を含んでいることを特徴とする請求項１４記載のフレーム構造。
【請求項１９】
背支持体は角度を有し、集合的に背保持部として機能する形状の複数の平坦面を含んでいることを特徴とする請求項１４記載のフレーム構造。
【請求項２０】
背保持部は直立ポジションと傾斜ポジションとの間で背支持体に対して移動できるように搭載されていることを特徴とする請求項１４記載のフレーム構造。
【請求項２１】
背支持体は乗客が操作する限定された前後ロッキング動作ができるように搭載されていることを特徴とする請求項１４記載のフレーム構造。
【請求項２２】
周縁フレームは前後スライド動作ができるように背支持体に搭載されていることを特徴とする請求項２１記載のフレーム構造。
【発明の詳細な説明】
【技術分野】
【０００１】
本願は、２００３年１２月１５日出願の米国仮特許願６０/５２９６８６、２００４年７月２０日出願の米国仮特許願６０/５８９２９７及び２００４年１１月２日出願の米国特許願１０/９７９６８０の優先権を主張する。
【０００２】
本発明は一般的にシートに関し、特定すれば飛行機のエコノミークラスシート用のシートフレーム構造に関する。
【背景技術】
【０００３】
一般的に飛行機シートは様々なクラスに分類されている。例えば、ファーストクラスシート、ビジネスクラスシート及びエコノミークラスシートである。それぞれのクラスのシートに対して、個々の搭乗客（乗客）には所定量の空間（面積及び容積）が占有的に提供されている。
【０００４】
ファーストクラスシートは最大個人空間を有し、完全リクライニング式睡眠機能のごとき快適性が提供される。一方、エコノミークラスシートには相対的に限定された空間が提供される。これは最大人員輸送効率と最低コストを達成させるためである。例えば、シート列の前後空間である“ピッチ”はせいぜい７１ｃｍ程度である。この空間限定は、シートのデザインと相俟って、作業（例えば、ラップトップコンピュータ作業）や、睡眠/ストレッチングのためには非常に非効率な環境である。この非効率性は搭乗客のフラストレーションを招く要因となる。加えて、直前のシートを占める乗客は、後方シートの“占有空間”内にシートを“リクライニング”させることで後方の占有空間を侵害し、搭乗客間の協調性の阻害要因ともなり得る。前後シートの占有空間の問題や乗客同士の争いはエコノミークラスシートでの飛行機旅行を“不快な経験”とさせるリスクを孕んでいる。現代の航空機はますます長時間飛行を可能にしている。よって、長時間飛行においてエコノミークラスの快適性を増大させ、乗客に対して睡眠等の様々な姿勢を可能にし、乗客同士の協調性に寄与させることがますます重要になっている。
【０００５】
このような不快感を軽減するため、飛行中に隣の乗客の邪魔にならずに様々な姿勢で着座したり横になることができるのが望ましい。一般的に、飛行時間が長ければ長いほど乗客は様々な体勢を希望し、様々な活動を欲する。そのような活動とは直立座姿勢、リクライニング姿勢、映画鑑賞、コンピュータ使用、ストレッチングまたは前傾姿勢、睡眠及び“立座姿勢”等である。残念ながら、従来のエコノミークラスシートでは、単純な直立座姿勢やリクライニング姿勢以外の姿勢は困難であり、リクライニング量自体も限定されている。
【発明の開示】
【発明が解決しようとする課題】
【０００６】
従って、本発明の１目的は、大きな快適性と調整を提供する乗客シートの下方と後方のスペースを利用するフレーム構造を含んだ乗客シートアレンジの提供である。
【０００７】
本発明の別目的は、後方座席の乗客の邪魔にならない静止背部を含んだ乗客シート用のフレーム構造の提供である。
【０００８】
本発明の別目的は、乗客に対して比較的に動きの余裕を与えつつ、後方座席の乗客の邪魔にならない静止背部を含んだ乗客シート用のフレーム構造の提供である。
【０００９】
本発明の別目的は、後方座席の乗客の邪魔にならないよう限定されたロッキング動作を可能にする背支持体を含んだ乗客シート用のフレーム構造の提供である。
【課題を解決するための手段】
【００１０】
それら、及び他の目的は本発明で達成される。本発明の１実施態様は乗物の乗客シート用フレーム構造を提供する。その構造は、乗物の床に搭載される前後方向に延びたシート脚部に取り付けられた片持式横断主梁体を含んだ少なくとも１体の脚体を含んでいる。横断方向に延びる前方梁体はシート脚部の前方に位置し、背支持体はその横断主梁体に取り付けられている。背保持部は背支持体に搭載され、シート座席部は背支持体に搭載された周縁フレームに搭載される。
【００１１】
本発明の１好適実施態様によれば、前方梁体は床レベルからシート座席部に隣接する位置にまで実質的に延びる中空ボックス型梁体を含む。
【００１２】
本発明の別好適実施態様によれば、周縁フレームは背支持体に取り付けられた後部フレームと底部フレームを含んでいる。
【００１３】
本発明の別好適実施態様によれば、底部フレームはフレキシブルなシートパンとパッド型シートクッションで覆われている。
【００１４】
本発明の別好適実施態様によれば、ボックス型梁体は電気/電子シートコンポーネントを収納するように設計されている。
【００１５】
本発明の別好適実施態様によれば、フレーム構造は２体の横方向に離れて延びる脚体を含んでおり、片持式横断主梁部は２体の脚体を連結し、互いに固定関係にて維持する。
【００１６】
本発明の別好適実施態様によれば、フレーム構造はシート脚部の前方に位置した横断方向に延びる前方梁体と、横断主梁体に取り付けられた少なくとも２体の第１及び第２並背支持体とを含んでいる。第１及び第２周縁フレームはそれぞれの背支持体に取り付けられる。第１と第２シート座席部はそれぞれの周縁フレームに取り付けられる。
【００１７】
本発明の別好適実施態様によれば、背支持体は凹状部を含み、後方座席の乗客の膝収容空間を提供する。
【００１８】
本発明の別好適実施態様によれば、背支持体は、後方座席の乗客が占めるスペース内に進入しないように横断主梁体に固定され、背保持部とシート座席部の快適ポジションへの移動中に静止ポジションを維持する頑丈な材料を含んでいる。
【００１９】
本発明の別好適実施態様によれば、背支持体は、背保持部として作用することができる形状を集合的に提供するように角度が与えられた複数の平坦面を含んでいる。
【００２０】
本発明の別好適実施態様によれば、背保持部は直立姿勢と傾斜姿勢と間で背支持体に対して動けるように搭載されている。
【００２１】
本発明の別好適態様によれば、背支持体は限定された乗客操作前後ロッキング動作ができるように搭載されている。
【００２２】
本発明の別好適実施態様によれば、周縁フレームは前後にスライド動作できるように背支持体上に搭載されている。
【００２３】
本発明の別好適実施態様によれば、フレーム構造は乗物用乗客シートに提供され、少なくとも１体の脚体を含み、乗物の床に搭載されるように前後に延びるシート脚部に取り付けられる片持式横断主梁体を含む。横断方向に延びる前方梁体はシート脚部の前方に位置する。前方梁体は中空で横断方向に延びるボックス型梁体を含んでいる。背支持体は主梁体に取り付けられる。背保持部は背支持体に取り付けられ、シート座席部は、背支持体に取り付けられた後方フレームと底部フレームとを含んだ周縁フレームに取り付けられる。底部フレームはフレキシブルなシートパンとパッド式シートクッションで覆われている。
【００２４】
本発明の別好適実施態様によれば、ボックス型梁体は内部に電気/電子シートコンポーネントを収容し、フレーム構造は２本の横方向に間隔を開いて延びる脚体を含んでいる。片持式横断主梁体は２つの脚体を連結させ、互いに固定関係で維持する。
【００２５】
本発明の別好適実施態様によれば、背支持体は後方座席の乗客の膝を入れる凹状部を有している。
【００２６】
本発明の別好適実施態様によれば、背支持体は横断主梁体に固定された頑丈な材料で提供され、後方座席の乗客の邪魔にならないように背保持部とシート座席部の快適ポジションへの移動時に静止状態を保つ。
【００２７】
本発明の別好適実施態様によれば、背支持体は集合的に背保持部としての役割を果たす形状を提供する角度が有した複数の平坦面を含んでいる。
【発明を実施するための最良の形態】
【００２８】
図１は例示的シートセット１０を図示する。この例ではシートセット１０は３つの個別シート１２a、１２b、１２cを含む。それらは頑丈な背支持体１４a、１４b、１４cでそれぞれ支持されている。それら個別シートは固定ビデオスクリーン１３と収納式トレーテーブル１５とを背部に含んでいる。従来シートとは異なり、背支持体１４a、１４b、１４cには左右空間領域１６と１７が提供され、後方シート乗客の膝用の空間を提供する。複数のシート１２は一体的に提供することも、連結式に提供することもできる。背支持体１４a、１４b、１４cは片持梁式の横断主梁体１８に搭載されて支持されている。主梁体１８は脚体２０、２２に搭載されている。脚体は乗物床に固定されている。主梁体１８は“Ｉ”断面形状の部材として図示されているが、この形状は必須ではない。例えば、中空断面（図示せず）でも利用できる。主梁体１８は乗物の床に搭載された脚体２０、２２に取り付けられている。各脚体２０、２２は長形底部材２４、垂直部材２６、及び上方部材２８を含んでいる。これら部材を一体的に提供することもできる。脚体２０、２２は横断前方梁体３０で連結できる。梁体３０は電子機器や他のシート関連装置（図示せず）を収容するのに適した中空部材でよい。主梁体１８と脚体２０、２２は協調的にシートフレームを提供する。
【００２９】
シート１２a、１２b、１２cは実質的に同形である。シート１２aはシート座席部３２a、背保持部３４a及びヘッドレスト３６aを含む。アームレスト３８、４０はシート１２aの両側に提供されている。アームレスト３８、４０はシートセット１０の隣接シート１２bとの共用である。アームレスト３８、４０は背支持体１４aから前方に引き出されるため、隣接する背支持体１４間の間隙は不要である。このことで以下にて解説する乗客の占有空間で保護された姿勢（体勢）の収容に必要な空間の創出の一助となっている。シート座席部３２aは中央座席部４２aと少なくとも１体の補助ウィング部４４aとを含んでいる。シート座席部３２aは中央座席部４２aと、少なくとも１体の補助ウィング部４４aとを含んでいる。図示の例では、２つの補助ウィング部４４a、４４a’は傾斜ヒンジ線で中央座席部４２aに回動式に取り付けられている。
【００３０】
シート１２aは着座する乗客にシート１２aをアレンジさせ、いくつかの異なる座姿勢を達成させるが（以下で詳述）、前後乗客の占有空間は相互保護される。それらシート形態のそれぞれで、自身のシート１２aのいかなる部分も自身の背支持体１４aからはみ出たり、前方シートの背支持体を越えて延びることはない。従来シートの場合とは対照的に、これらの占有空間の形態は、シート列が非常に小さい空間あるいはピッチ“Ｐ”によってアレンジされていても保護が可能である。ピッチＰは個々の飛行機所有者によってセットされる。本例では、ピッチＰはエコノミークラスで受け入れられている範囲であり、従来では、固定された占有空間で複数の形態は提供されなかった。このピッチＰの範囲は約７９ｃｍから約９２ｃｍであり、好適には、約８１ｃｍから約８６ｃｍである。シート１２は、例えば約７１ｃｍのようにシートの前後移動を幾分か制限することでさらに小さなピッチとすることもできる。比較として挙げれば、従来のビジネスクラスシートのピッチはさらに大きく、例えば約１４０ｃｍ以上である。シート１２aの形状は様々な手段で変形できる。例えば、シート１２aの可動コンポーネントは個別のスイッチやコントロールユニットからの指令で作動するアクチュエータに接続できる。あるいは、個別の手動コントロールを様々なシートコンポーネントのために提供できる。
【００３１】
図１Ａは通常の着座姿勢用に形状化されたシート１２aを示す。この形状では、シート座席部３２aは最後方に位置しており、背保持部３４aは背支持体１４aに対して最直立ポジションにあり、ヘッドレスト３６aは持上ポジションにある。ヘッドレスト３６aと座席部３２aのクッション効果並びに背保持部３４aのフレキシビリティによって乗客は通常の着座姿勢で快適に着座できる。座席部３２aに“ウォーターフォール”特性を提供することができる。これはシート座席部３２aの前後長を選択的に減少させ、乗客の感適性を高めるためである。乗客シート１２aの背支持体１４aと、周囲シートの背支持体は頑丈で不動であるため、個々の乗客に提供された占有空間は他の乗客に侵されることはない。図１Ｂはリクライニング姿勢のシート１２aを示す。シート座席部３２aは背支持体１４aに対して前方に平行移動している。背支持体１４aの空間領域１６、１７と、シート１２a前方に引き出されたアームレストは乗客の膝を収容し、シート１２aの乗客にさらに前方に移動する余裕を提供する。
【００３２】
背保持部３４aの底端は座席部３２aの前方移動に伴って前方に引かれ、背保持部３４aの上端は背支持体１４aの表面上を下降する。よって、背保持部３４aは前方に移動し、同時に後方に傾斜してリクライニング状態となる。ヘッドレスト３６aも背保持部３４aと共に手動または自動で下降するため、ヘッドレスト３６aは背保持部３４aの上端と一定間隔を維持する。このリクライニングモーションを通じて、背保持部３４aは背支持体１４aによって後方に移動することはなく、シート１２aの後方の乗客占有空間内に侵入することはない。
【００３３】
このリクライニングポジションは乗客の重心を下降させずに達成される。よって、従来シートのように乗客の重心を下降させ、最も体重が大きい乗客を想定して充分な“戻り”上昇力を発生させ、直立ポジションに戻させる特殊装置は不要である。
【００３４】
図１Ｃは“前方ずれ”姿勢にあるシート１２aを示す。座席部３２aはリクライニングポジションの場合と比べ、背支持体１４aに対してさらに前方に平行移動している。背保持部３４aの底端は座席部３２aと共にさらに前方に引き出され、背保持部３４aの上端は背支持体１４aの表面をさらに下方に移動している。座席部３２aの前端は下降している。この形状で乗客は身体と脚部をストレッチでき、自身の足をシート１２aの前方のシートの座席部下側に置きやすくする。
【００３５】
図１Ｄは“横寝”または“胎児寝”姿勢用に形状化されたシート１２aを示す。この形状では座席部３２aは前方に平行移動されており、その前縁は下降されている。背保持部３４aは“前方ずれ”姿勢と同様に回動傾斜する。背保持部３４aは乗客の背骨とほぼ平行な線の周囲で回転し、肩形状“Ｎ”を提供する。座席部３２aの補助ウィング部４４aは、乗客が希望する方向で回動線４６に沿って上方に回動する。ヘッドレスト３６bは略縦軸周囲で、ヘッドレスト３６aの側部を乗客の肩形状Ｎの方向に下降させるべく、乗客の回転方向に向けて回動する。このポジションで乗客は垂直にストレッチでき、適当な肩休息領域と頭部休息が提供され、乗客の臀部を回転ポジションで保持し、乗客がシート１２aから脱落するのを防止する。従って、乗客は筋肉を全く使用せずに睡眠ポジションを維持できる。補助ウィング部４４はヒンジ式でなくとも構わない。乗客を回転ポジションで支持するため、座席部３２aの一部を上方に効果的に上昇させる構造であればよい。例えば、ヒンジ式補助ウィング部４４aを、選択的に膨張し、効果的に上昇する補助ウィング部を提供するクッションで置き換えることができる。
【００３６】
図１Ｅは“立座”ポジションのシート１２aを示す。座席部３２aは後方に平行移動され、上方に回転して持ち上げられる。その持ち上げポジションで座席部３２aは乗客に対して凭れ掛かる面を提供する。別姿勢を可能にするのに加えて、立座ポジションは、座席部３２a部分の前後長を減少させることでシート列間の出入りを容易にする。
【００３７】
図４から図１１はシート１２aの内部構造のアレンジを図示する。図１１で示すシート１２aは頑丈な背支持体１４aに固定された頑丈な座席フレーム４８を含んでおり、例えば、サイドレール構造５０を利用して前後に平行移動できる。座席フレーム４８はフレキシブルなシートプレート５２（図１１では図示せず）とパッド型座席クッション（図示せず）とでカバーされている。座席フレーム４８は主梁体１８に取り付けられており、その前端は選択的に上下される。例えば、それは離れて提供された座席フレームピボット５４と５６にロックできる。
【００３８】
図６で示すシートプレート５２は、補助ウィング部４４a、４４a’の一部を形成する２体のフラップ体６０、６０’を提供する２本の斜ヒンジ線５８を含む。それぞれのフラップ体６０、６０’は左または右の補助レバー６２、６４にそれぞれ重なる。補助レバー６２、６４は個別に上下方向に回動し（図７参照）、選択ポジションで補助レバー６２、６４を保持させる。上昇ポジションでは、選択されたフラップ体６０または６０’が上方に回動されており、乗客の臀部及び腿部を安定支持する。座席部３２aは前方“ウォーターフォール”形状を採用できる。特に、座席フレーム４８の前縁部分は選択的に下方に折り下げるように設計でき、乗客の体重でシートプレート５２を下方に湾曲させて、座席部３２a部分の前後長を減少させる。この実施例では、ヒンジ式補助バー６６（図１１参照）が補助レバー６２、６４とシートプレート５２の間に配置されている。両方の補助レバー６２、６４は補助バー６６に伴って同時的に下方に回動することができる。
【００３９】
頑丈な背フレーム６８（図５参照）は座席フレーム４８に背ピボット７０、７０’にて連結されている。背フレーム６８も上端は、背支持体１４aに固定されたローラ７２または他の適した構造を含んでおり、背フレーム６８を上下にスライドさせる。背保持部３４aのリクライニング運動は、背保持部３４aが座席部３２aによって背支持体１４aに対して前方または後方に引っ張られるとき、背支持体１４aとのローラ７２の相互作用によって規制される。座席部３２aの与えられた移動量に対するリクライニング量（すなわち、背保持部の傾斜角変化）は背支持体１４aの表面の適当な等高形状で選択される。
【００４０】
バックレスト７４は背フレーム６８に搭載されている。バックレスト７４は複合湾曲部材であり、複数の離れて提供された横方向要素７６を有している。バックレスト７４の全体はプラスチック材や合成ゴム等の弾性材料で製造されている。バックレスト７４の横方向要素７６はシート１２aに乗客が着席すると個別に変形して分離ポジションとなる。これで乗客の背骨に比較的に一定である支持力が作用し、正確な着座ポジションに多様性を与える。バックレスト７４は図５で示すようにカバー７８で覆うことができる。
【００４１】
図６、図９及び図１０で示すヘッドレスト３６aは背保持部３４a上方で背支持体１４aに搭載されている。ヘッドレスト３６aは中央部８２と２体の前方傾斜側部８４、８４’を含んでいる。ヘッドレスト３６a全体は縦軸周囲で回転するように提供されている。それを垂直方向に平行移動させるようにアレンジすることもできる。例えば、図８で示すように、バー８６でヘッドレスト３６aを背保持部３４aとリンクさせることもできる。サイドパッド８８がヘッドレスト３６aのそれぞれの傾斜側部８４、８４aに搭載されている。各サイドパッド８８は厚みがテーパされ、中央に搭載されており、中央で回転して側部８４、８４’に対して横方向に移動できる。テーパされたサイドパッド８８の回転は、側部８４、８４’が回動せずとも乗客の頭部と支持する角度を変更させる効果を提供する。サイドパッド８８の横移動は図９と図１０で示すようにヘッドレスト３６aの幅を変更する。
【００４２】
図１２は肩ベルト９０を含んだシート１２a’を図示する。肩ベルト９０は腰ベルト９２にバックルで連結できる。従来とは異なり、肩ベルト９０は衝撃時に乗客をシートに固定させる。従来においては前方のシートが乗客の衝撃を和らげるように期待されていた。よって、衝撃時にシート１２aに着座する乗客の頭部軌道は減少する。これで航空機キャビンの各ゾーンの最前列シートを前方隔壁にさらに接近させて設置させることができる。これでキャビンにさらに広い空間が提供でき、追加のシート列を設置したり、あるいは追加の空間（シートピッチの増加）を提供することができる。
【００４３】
前述のシートアレンジは従来のシートアレンジと較べて多くの利点を有している。後方へのリクライニング機能を有さない本発明の固定式背支持体１４によって、各キャビンの最終シート列は後方隔壁にさらに近接させて設置でき、航空機キャビンの有効空間を増加させることができる。
【００４４】
ここで解説した乗客用の固定占有空間はいくつかの別方法でも提供できる。例えば、背支持体１４を後方以外の方向で可動とすることができる。あるいは、背支持部をその長さの一部だけ固定し、背支持体１４の上部のみをリクライニングさせ、下部を固定させておくこともできる。
【００４５】
以上、制限された空間内で乗客に複数の姿勢を許す特徴を有したシートアレンジを解説した。これらの特徴を多様な快適性を提供するように組み合わせることもできる。本発明の特定実施例を解説したが、本発明の精神と範囲内でそれらの変更は可能である。
【図面の簡単な説明】
【００４６】
【図１Ａ】図１Ａは直立シートポジションにある本発明の乗客シートセットの斜視図である。
【図１Ｂ】図１Ｂは１シートがリクライニングポジションにある図１のシートセットの斜視図である。
【図１Ｃ】図１Ｃは１シートが“前方ずれ”状態にある図１のシートセットの斜視図である。
【図１Ｄ】図１Ｄは１シートが“横眠”状態にある図１のシートセットの斜視図である。
【図１Ｅ】図１Ｅは１シートが“立座”状態にある図１のシートセットの斜視図である。
【図２】図２は図１のシートの背面斜視図である。
【図３】図３は隣接前後シート列の概略側面図である。
【図４】図４はシートフレーム及び搭載背支持体の斜視図である。
【図５】図５は背保持部と周縁フレームの斜視図である。
【図６】図６は一部が分解されたシートの正面図であり、内部構造を示している。
【図７】図７は回動状態の支持ウィング体を有したシート座席部の正面図である。
【図８】図８は背保持部の上部の側面図である。
【図９】図９はヘッドレストの斜視図である。
【図１０】図１０はヘッドレストの別斜視図である。
【図１１】図１１は座席部を外した状態のシートの斜視図である。
【図１２】図１２は肩ベルトを有したシートの斜視図である。
【図１Ａ】
2007517707.tif 000003
【図１Ｂ】
2007517707.tif 000004
【図１Ｃ】
2007517707.tif 000005
【図１Ｄ】
2007517707.tif 000006
【図１Ｅ】
2007517707.tif 000007
【図２】
2007517707.tif 000008
【図３】
2007517707.tif 000009
【図４】
2007517707.tif 000010
【図５】
2007517707.tif 000011
【図６】
2007517707.tif 000012
【図７】
2007517707.tif 000013
【図８】
2007517707.tif 000014
【図９】
2007517707.tif 000015
【図１０】
2007517707.tif 000016
【図１１】
2007517707.tif 000017
【図１２】
2007517707.tif 000018
【国際調査報告】
2007517707.tif 000019
2007517707.tif 000020